(57)【要約】【課題】シールと共に多くの情報や図を掲載できるうえに、容易に製造することが可能なシール付き印刷物を提供する。【解決手段】シール６と剥がしたシールを貼り付ける台紙とが一体になったシール付き広告１である。  そして、両面に印刷が施された紙本体２と、紙本体の一箇所を折り重ねることによって形成されるシール領域３と、シール領域以外の紙本体に形成される台紙領域４とを備えたことを特徴とする。  ここで、シール領域は、紙本体の第１面に、隣接して形成される略同じ平面形状の粘着層とコーティング層とを有する構成にすることができる。【選択図】図１
2015020382.tif 000002
【特許請求の範囲】
【請求項１】
シールと剥がした前記シールを貼り付ける台紙とが一体になったシール付き印刷物であって、
両面に印刷が施された紙本体と、
前記紙本体の少なくとも一箇所を折り重ねることによって形成されるシール領域と、
前記シール領域以外の前記紙本体に形成される台紙領域とを備えたことを特徴とするシール付き印刷物。
【請求項２】
前記シール領域は、前記紙本体の第１面に、隣接して形成される略同じ平面形状の粘着層とコーティング層とを有することを特徴とする請求項１に記載のシール付き印刷物。
【請求項３】
シールと剥がした前記シールを貼り付ける台紙とが一体になったシール付き印刷物の製造方法であって、
紙本体の両面に印刷を施す工程と、
前記紙本体の第１面に、隣接して略同じ平面形状のコーティング層と粘着層とを形成する工程と、
前記紙本体を折り曲げることによって前記粘着層と前記コーティング層とを貼り合わせてシール領域を形成する工程と、
前記シール領域において前記粘着層が形成された紙本体を切り抜いてシール形状を形成する工程とを備えたことを特徴とするシール付き印刷物の製造方法。
【発明の詳細な説明】
【技術分野】
【０００１】
本発明は、広告や宣伝のために配布されるチラシ、又は雑誌や本の綴込みなどに使用されるシール付き印刷物及びその製造方法に関するものである。
【背景技術】
【０００２】
特許文献１に示すように、シールの表面に伝達したい情報と広告との両方が印刷された広告付きシールが知られている。この広告付きシールは、剥離紙から剥がして商品などに貼り付けられ、剥離紙はそのまま処分される。
【０００３】
また、特許文献２では、宅配便の送り状がシールとなっており、配送情報が記載されたシールをめくると、剥離紙側に印刷された広告が露出する構成となっている。
【０００４】
さらに、特許文献３には、薬の服用忘れを防ぐための広告欄付きシール台紙が開示されている。この広告欄付きシール台紙には、シールと剥がしたシールを貼り付ける台紙とが一枚のシートになった構成が開示されている。
【先行技術文献】
【特許文献】
【０００５】
【特許文献１】特開２００７−３３４０３７号公報
【特許文献２】特開２００６−８２５４２号公報
【特許文献３】特開２００４−３１４６２１号公報
【発明の概要】
【発明が解決しようとする課題】
【０００６】
しかしながら特許文献１−３に開示されたシール付き印刷物は、一面にしか広告や情報が記載できず、掲載できる情報量が限られる。また、特許文献１−３には製造方法は開示されていないが、これらの構成から通常のシールを製造する方法が適用されると考えられる。
【０００７】
そこで、本発明は、シールと共に多くの情報や図を掲載できるうえに、容易に製造することが可能なシール付き印刷物及びその製造方法を提供することを目的としている。
【課題を解決するための手段】
【０００８】
前記目的を達成するために、本発明のシール付き印刷物は、シールと剥がした前記シールを貼り付ける台紙とが一体になったシール付き印刷物であって、両面に印刷が施された紙本体と、前記紙本体の少なくとも一箇所を折り重ねることによって形成されるシール領域と、前記シール領域以外の前記紙本体に形成される台紙領域とを備えたことを特徴とする。
【０００９】
ここで、前記シール領域は、前記紙本体の第１面に、隣接して形成される略同じ平面形状の粘着層とコーティング層とを有する構成にすることができる。
【００１０】
また、本発明のシール付き印刷物の製造方法は、シールと剥がした前記シールを貼り付ける台紙とが一体になったシール付き印刷物の製造方法であって、紙本体の両面に印刷を施す工程と、前記紙本体の第１面に、隣接して略同じ平面形状のコーティング層と粘着層とを形成する工程と、前記紙本体を折り曲げることによって前記粘着層と前記コーティング層とを貼り合わせてシール領域を形成する工程と、前記シール領域において前記粘着層が形成された紙本体を切り抜いてシール形状を形成する工程とを備えたことを特徴とする。
【発明の効果】
【００１１】
このように構成された本発明のシール付き印刷物は、紙本体の両面に印刷が施される。また、両面印刷された紙本体を折り重ねることでシール領域が形成される。このため、シールと共に多くの情報や図を掲載することができる。
【００１２】
また、紙本体を印刷する工程の延長線上で、紙本体に粘着層とコーティング層を形成して貼り合わせることでシール領域となるため、シール付き印刷物を容易に製造することができる。
【図面の簡単な説明】
【００１３】
【図１】本実施の形態のシール付き広告の構成を説明する説明図である。
【図２】本実施の形態のシール付き広告の製造方法を説明する図であって、（ａ）は印刷工程を説明する模式図、（ｂ）は粘着層とコーティング層とを示した説明図、（ｃ）は貼り合わせる工程を示した説明図である。
【図３】実施例１のシール付きシートの構成を説明する図であって、（ａ）は使用前の状態を示した図、（ｂ）は使用中の状態を示した図である。
【図４】実施例２のシール付き綴込みを説明するための斜視図である。
【発明を実施するための形態】
【００１４】
以下、本発明の実施の形態のシール付き印刷物としてのシール付き広告１について図面を参照して説明する。図１は、本実施の形態のシール付き広告１の構成及び使用方法を説明する説明図である。
【００１５】
このシール付き広告１は、両面に印刷が施された紙本体２と、紙本体２の側方に形成されるシール領域３と、シール領域３以外の紙本体２に形成される台紙領域４とを主に備えている。
【００１６】
この長方形に形成される紙本体２には、前面となる第１面２１に台紙領域４としての図や文字情報などの印刷が施される。また、後面となる第２面２２にも、広告面５としての図や文字情報などの印刷が施される。
【００１７】
さらに、シール領域３の図や文字情報なども、紙本体２に施された両面印刷によって形成される。すなわちこのシール領域３は、図２(ｃ)に示すように、紙本体２を折り重ねることによって形成される。
【００１８】
このため、シール６の表面６１は紙本体２の第２面２２への印刷によるもので、シール６の裏面６２は紙本体２の第１面２１への印刷によるものである。また、シール６を剥がした切取り口６３に露出する剥離面６４は、紙本体２の第１面２１である。
【００１９】
シール領域３は、図２（ｂ）に示すように、紙本体２の第１面２１において、隣接して形成される略同じ平面形状の粘着層３１とコーティング層３２とを有している。この粘着層３１とコーティング層３２は、印刷後の紙本体２に形成される。
【００２０】
粘着層３１は、紙本体２の縁部から幅Ｗの長方形の範囲にシール用の粘着剤を塗布することによって形成される。粘着剤には、例えばアクリル系粘着剤などの不溶性の糊が使用される。
【００２１】
また、コーティング層３２は、粘着層３１の台紙領域４側に、粘着層３１と同じ幅Ｗの長方形の範囲にコーティング剤を塗布することによって形成される。このコーティング層３２は、剥離層とも呼ばれる。
【００２２】
コーティング剤には、例えばシリコーン樹脂を使用することができる。シリコーン樹脂には、溶剤型、無溶剤型、エマルジョン型などがある。コーティング剤を塗布した後は、必要に応じて熱乾燥させる。
【００２３】
次に、図１を参照しながらシール付き広告１の使用方法について説明する。配布時のシール付き広告１は、台紙領域４の折り目４１で谷折りされるとともに、台紙領域４とシール領域３との境界の折り目１１でも谷折りされた三つ折りの状態となっている。
【００２４】
この状態では、広告面５が露出することになる。そして、折り目１１から開くとシール領域３が現れ、さらに折り目４１を開くとシール領域３の右側に台紙領域４が現れる。
【００２５】
この台紙領域４は、シール領域３にあるシール６，・・・を剥がして貼り付けるための台紙となる。このため台紙領域４には、シール６，・・・の絵や模様等に合わせた図や文字情報などが掲載されている。
【００２６】
また、シール領域３のシール６の表面６１，・・・には、剥がした後も独立したシール６，・・・として存在価値を発揮するような、車や果物やボールや遊具などの印刷が施されている。
【００２７】
このシール付き広告１を受け取った子供は、好きなシール６を剥がして台紙領域４に貼り付ける。例えば表面６１に車の外観が印刷されたシール６を剥がすと、裏面６２には車の内装が印刷されており、車の外観と内装の絵を楽しめるようになっている。
【００２８】
また、シール領域３からシール６を剥がした子供は、右隣の台紙領域４の道路の絵の上にシール６を貼り付けて楽しむことができる。さらに、シール６を剥がした切取り口６３に露出する剥離面６４には、台紙領域４の絵や模様等に合わせた図等が印刷されており、シール６を剥がした後のシール領域３も殺風景とならずに楽しむことができる。
【００２９】
次に、本実施の形態のシール付き広告１の製造方法について、図２を参照しながら説明する。
【００３０】
まず、図２（ａ）に示すようにロール紙２０から紙本体２を引き出し、両面印刷機２３によって紙本体２の第１面２１と第２面２２の両面に印刷を行う。すなわち、シール領域３、台紙領域４及び広告面５に必要な印刷はこの工程ですべて行う。
【００３１】
続く工程では、図２（ｂ）に示すように第１面２１に対して、１枚のシール付き広告１分の紙本体２の端線２４（同図では左縁部）から幅Ｗだけ離れた位置に、同じく幅Ｗの長方形となるようにコーティング剤を塗布してコーティング層３２を形成する。
【００３２】
そして、必要に応じてコーティング層３２を熱乾燥させた後に、その左隣りの幅Ｗの長方形の範囲に粘着材を塗布して、粘着層３１を形成する。これによって略同じ長方形の粘着層３１とコーティング層３２とが、端線２４から並んで形成されたことになる。
【００３３】
さらに図２（ｃ）に示す工程では、粘着層３１とコーティング層３２の境界の折り目３３で紙本体２を谷折りに折り曲げることによって、粘着層３１とコーティング層３２とを貼り合わせてシール領域３を形成する。
【００３４】
すなわちシール領域３では、紙本体２が折り重ねられてコーティング層３２と粘着層３１とが対峙した状態になっている。そして、この折り重ねられた状態のまま、粘着層３１が形成された紙本体２のみをシール形状に合わせて切り抜いて、複数のシール６，・・・をシール領域３に形成する。
【００３５】
最後に、連続して送られてきた複数のシール付き広告１，・・・を、裁断によって切り離す。このように、ロール紙２０の状態から、印刷、シール領域３の形成、裁断に至るまで一貫した連続工程で行うことができる。
【００３６】
次に、本実施の形態のシール付き広告１及びその製造方法の作用について説明する。
【００３７】
このように構成された本実施の形態のシール付き広告１は、紙本体２の両面に印刷が施される。また、両面印刷された紙本体２の側部を折り重ねることでシール領域３が形成される。
【００３８】
このようにシール６，・・・と台紙領域４とが一体になっていると、剥離紙がごみになったり、シール６が家具や壁などの望ましくない場所に貼り付けられたりすることを防ぐことができる。
【００３９】
また、広告面５に広告や宣伝、その他の情報を印刷しておくことで、子供がシール付き広告１を楽しんでいる間は、処分されることなく親に対して広告効果を発揮させることができる。
【００４０】
そして、紙本体２の両面印刷であれば、広告等の情報や子供を楽しませる絵などの多くのデータを印刷することができる。また、シール６の裏面６２やシール６を剥がした後に露出する剥離面６４にも図や情報が印刷されていれば、シール６を剥がす楽しみが増えるとともに、シール領域３が使い終わったような状態にはならず、隣接する台紙領域４と共に長く楽しむことができる。
【００４１】
また、紙本体２を印刷する工程の延長線上で、紙本体２にコーティング層３２と粘着層３１とを形成して貼り合わせることでシール領域３となるため、シール付き広告１を容易に製造することができる。
【実施例１】
【００４２】
以下、前記した実施の形態とは別の形態の実施例１について、図３を参照しながら説明する。なお、前記実施の形態で説明した内容と同一乃至均等な部分の説明については、同一符号又は同一用語を使って説明する。
【００４３】
この実施例１で説明するシール付き印刷物としてのシール付きシート１Ａには、広告が印刷されていない。図３（ａ）の右側に示すように、第２面２２は使用目的表示面５Ａとなっている。
【００４４】
要するにこのシール付きシート１Ａは、幼稚園やイベント会場で子供に配布されるもので、広告を目的にして配布されるものではない。図３（ａ）は、台紙領域４が隠れるように折り畳まれた状態を示している。
【００４５】
この見開きの状態のシール付きシート１Ａの左側にはシール領域３が現れ、右側には使用目的表示面５Ａが現れる。この使用目的表示面５Ａには、このシール付きシート１Ａの使用目的である「おやくそくシール」という文字情報が記載されている。
【００４６】
そして、使用目的表示面５Ａ側を開くと、図３（ｂ）に示すように台紙領域４が現れる。このシール付きシート１Ａは、子供が約束を守れときにシール６Ａ，６Ｂを台紙領域４に貼り付けていくものである。
【００４７】
シール領域３の大きなシール６Ａ，・・・には、「おやくそく」を示す絵が描かれている。ここでは、歯磨き、手洗い、挨拶が「おやくそく」となる。また、小さなシール６Ｂ，・・・は、「おやくそく」を守るたびに貼り付けていくシールである。
【００４８】
例えば子供が、歯磨きを毎食後することを約束した場合、台紙領域４の第１貼付部４２Ａ，４２Ａ，４２Ａに印刷された「はみがき」、「てあらい」、「あいさつ」の枠の中で、「はみがき」と印刷された第１貼付部４２Ａに大きい方のシール６Ａを貼り付ける。
【００４９】
そして、歯磨きが出来た毎に、第２貼付部４２Ｂ，・・・の数字の枠に小さい方のシール６Ｂを貼り付けていく。ここで、シール６Ａ，６Ｂを剥がした剥離面６４に絵や模様等が印刷されていていれば、シール６Ａ，６Ｂを剥がすのが楽しくなる。また、小さい方のシール６Ｂ，・・・を剥がす度に少しずつ絵が現れるようにしておくと、全体の絵が見たくなって剥がす楽しみが増えて、約束をきちんと守るようになる。
【００５０】
ここで、シール６Ａ，６Ｂを剥がした剥離面６４にも絵や模様等が印刷されているので、シール領域３と台紙領域４とが一体のままでシール６Ａ，６Ｂを剥がしても、華やか雰囲気は変わることがない。
【００５１】
これに対して、シール領域３と台紙領域４との境界付近に切取り線１２を設けておき、シール領域３を台紙領域４から切り離して使用することもできる。例えば台紙領域４を壁に貼り付けた場合、シール領域３だけが手で持てるように分離されていれば、シール６Ａ，６Ｂが剥がしやすくなる。
【００５２】
なお、他の構成及び作用効果については、前記実施の形態又は他の実施例と略同様であるので説明を省略する。
【実施例２】
【００５３】
以下、前記した実施の形態又は実施例１とは別の形態の実施例２について、図４を参照しながら説明する。なお、前記実施の形態又は実施例１で説明した内容と同一乃至均等な部分の説明については、同一符号又は同一用語を使って説明する。
【００５４】
この実施例２で説明するシール付き印刷物としてのシール付き綴込み１Ｂは、雑誌７や本に綴じ込まれる。図４に示すようにシール付き綴込み１Ｂは、誌面７２と見開きになるように綴じ代７１を介して雑誌７と繋がっている。
【００５５】
要するにこのシール付き綴込み１Ｂは、雑誌７の付録として綴じ込まれるもので、雑誌７を閉じるときには折り目１１，４１で折り畳まれて折り込まれる。そして、雑誌７を開くと、シール付き綴込み１Ｂの右側（綴じ代７１側）にはシール領域３が現れ、左側には台紙領域４が現れる。
【００５６】
このシール付き綴込み１Ｂは、雑誌７に繋がった状態のままでも使用できるし、綴じ代７１の位置で切り離して単体として使用することもできる。ここで例示しているシール付き綴込み１Ｂは、子供がカタカナやひらがなを覚えるためのものである。
【００５７】
シール領域３には表面６１にカタカナが記載されたシール６Ｃ，・・・が点在している。一方、台紙領域４には、物の絵とその名前がカタカナで記載されており、名前の一字分が空欄となっている。この空欄が貼付部４３となる。
【００５８】
例えば子供が、台紙領域４のスプーンの絵を見て「スプーン」というカタカナを思いついたときに、シール領域３の「ス」のシール６Ｃを剥がして貼付部４３に貼り付ける。
【００５９】
また、カタカナが分からなくてシール６Ｃを剥がした場合でも、裏面６２にバッグの絵が描かれていれば、台紙領域４のバッグの絵の下の貼付部４３にシール６を貼り付けることができる。
【００６０】
さらに、シール６を剥がした後の切取り口６３に露出する剥離面６４に、ひらがなが印刷されていれば、カタカナと一緒にひらがなも覚えることができる。また、貼付部４３に薄い字で該当するカタカナの文字を印刷しておけば、学び始めの子供でも楽しく学習していくことができる。
【００６１】
このシール付き綴込み１Ｂの第２面２２の使用方法は限定されないが、例えば追加の台紙領域４として使用したり、実施例１のような使用目的表示面５Ａとして使用したり、広告面５として使用したりすることができる。
【００６２】
なお、他の構成及び作用効果については、前記実施の形態又は他の実施例と略同様であるので説明を省略する。
【００６３】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００６４】
例えば、前記実施の形態及び実施例では、シール領域３が１箇所の場合について説明したが、これに限定されるものではなく、例えば左右の両側にシール領域をそれぞれ設けることができる。
【００６５】
また、前記実施の形態では、粘着層３１とコーティング層３２とを略同じ平面形状としたが、これに限定されるものではなく、例えばコーティング層３２を粘着層３１よりも広く形成することができる。
【００６６】
さらに、前記実施の形態及び実施例では、シール領域３と台紙領域４とが同じ面に隣接して現れる構成としたが、これに限定されるものではなく、シール領域３と台紙領域４とが離れていたり、前面（第１面２１）と後面（第２面２２）のそれぞれ別の面に設けられていたりしてもよい。
【符号の説明】
【００６７】
１              シール付き広告（シール付き印刷物）
１Ａ            シール付きシート（シール付き印刷物）
１Ｂ            シール付き綴込み（シール付き印刷物）
２              紙本体
２１            第１面
３              シール領域
３１            粘着層
３２            コーティング層
４              台紙領域
６，６Ａ，６Ｂ，６Ｃ  シール
【図１】
2015020382.tif 000003
【図２】
2015020382.tif 000004
【図３】
2015020382.tif 000005
【図４】
2015020382.tif 000006